(57)【要約】【課題】昼夜の時刻を選ばずいつでも個人の洗濯物を持って行って預けることができるランドリー店舗１およびランドリー店舗１の営業方法を提供する。【解決手段】昼間などの有人営業時には、折畳式仕切り部材３を非仕切り位置に縮めて接客でき、夜間などの無人営業時には、折畳式仕切り部材３を仕切り位置に伸ばして接客し、来客者に洗濯物を入れさせた洗濯物収納袋８を洗濯物投入口１０から投入させる。このため、昼夜の時刻を選ばずいつでも個人の洗濯物を持って行って預けることができ、とりわけ勤務などで昼間の時間帯に拘束される来客者にとって好都合である。【選択図】図２
2005066145.tif 000002
【特許請求の範囲】
【請求項１】
店内を前後に仕切る仕切り位置と前記店内を開放する非仕切り位置との間でスライド可能に設けられて洗濯物投入口を有する複数枚のブラインド板部を伸縮自在に折り重ねてなる折畳式仕切り部材と、
前記店内の入口付近に設けられて多数の洗濯物収納袋を着脱可能に取付けた支持部材とを備え、
昼間などの有人営業時に前記折畳式仕切り部材を前記非仕切り位置に縮めて前記店内を開放して接客し、夜間などの無人営業時に前記折畳式仕切り部材を前記仕切り位置に伸ばして来客者に洗濯物を前記洗濯物収納袋に入れさせて前記洗濯物投入口から投入させて接客するランドリー店舗。
【請求項２】
前記洗濯物投入口は、スプリングにより閉鎖方向に付勢された蓋板を有することを特徴とする請求項１に記載のランドリー店舗。
【請求項３】
前記支持部材は、前記洗濯物収納袋を引っ掛ける引っ掛け棒を備えていることを特徴とする請求項１に記載のランドリー店舗。
【請求項４】
前記引っ掛け棒の上方には、来客者が所定事項を記入して前記洗濯物収納袋に表示するための用紙を備える筆記台が設けられていることを特徴とする請求項３に記載のランドリー店舗。
【請求項５】
前記折畳式仕切り部材を前記仕切り位置に伸ばす際、前記洗濯物投入口の後側には、前記洗濯物投入口から投入される前記洗濯物収納袋を床に滑り落とすための傾斜台が着脱可能に設置されることを特徴とする請求項１に記載のランドリー店舗。
【請求項６】
前記傾斜台から滑り落ちた前記洗濯物収納袋を左右あるいは前後に仕分けするために断面略逆Ｕ字状の仕分け部材を前記床に設置することを特徴とする請求項５に記載のランドリー店舗。
【請求項７】
前記傾斜台は、前記洗濯物収納袋を滑り落とすことができる使用位置と下方に反転した休止位置との間で回動可能に設けられていることを特徴とする請求項５または請求項６に記載のランドリー店舗。
【請求項８】
前記傾斜台は、略水平な非使用位置と前記洗濯物収納袋を滑り落とすために傾斜する使用位置との間で回動可能に設けられたカウンターであることを特徴とする請求項５または請求項６に記載のランドリー店舗。
【請求項９】
店内を前後に仕切る仕切り位置と前記店内を開放する非仕切り位置との間でスライド可能に設けられて洗濯物投入口を有する複数枚のブラインド板部を伸縮自在に折り重ねてなる折畳式仕切り部材と、前記店内の入口付近に設けられて多数の洗濯物収納袋を着脱可能に取付けた支持部材と、この支持部材の上方に設けられて来客者が所定事項を記入して前記洗濯物収納袋に表示するための用紙を備える筆記台とを有するランドリー店舗の営業方法であって、
昼間などの有人営業時に前記折畳式仕切り部材を前記非仕切り位置に縮めて前記店内を開放して行う有人接客部門と、
夜間などの無人営業時に前記折畳式仕切り部材を前記仕切り位置に伸ばして来客者に洗濯物を前記洗濯物収納袋に入れさせて前記洗濯物投入口から投入させて行う無人接客部門とを備えたランドリー店舗の営業方法。
【発明の詳細な説明】
【技術分野】
【０００１】
本発明は、夜間などの無人営業時に好適なランドリー店舗およびランドリー店舗の営業方法に関する。
【背景技術】
【０００２】
例えば、病院用のランドリーシステムでは、各患者に予め洗濯袋が渡されており、患者の洗濯物が所定の量になった頃に業者が回収してクリーニング工場に送る。クリーニング工場で仕上がった洗濯物は、洗濯袋に戻して配送車で病院に配送されて持主の患者に返される（例えば特許文献１参照）。
【特許文献１】特開２００２−３５５００号公報
【発明の開示】
【発明が解決しようとする課題】
【０００３】
しかしながら、今日では病院の患者に限らず、一般の利用者が夜間でも洗濯物を店舗に預けて洗濯の仕上げが得られることを望んでいる。このため、とりわけ勤務などの関係で所定の時間帯に拘束される利用者にとっては、昼夜の時刻を選ばずいつでも個人の洗濯物を持って行くことができる便利なランドリー店舗の登場が期待されていた。
【０００４】
本発明は上記事情に鑑みてなされたもので、その目的は昼夜の時刻を選ばずいつでも個人の洗濯物を持って行って預けることができるランドリー店舗およびランドリー店舗の営業方法を提供することにある。
【課題を解決するための手段】
【０００５】
（請求項１について）
折畳式仕切り部材は、店内を前後に仕切る仕切り位置と店内を開放する非仕切り位置との間でスライド可能に設けられており、洗濯物投入口を有する複数枚のブラインド板部を伸縮自在に折り重ねてなる。
支持部材は、店内の入口付近に設けられて多数の洗濯物収納袋を着脱可能に取付けている。昼間などの有人営業時には、折畳式仕切り部材を非仕切り位置に縮めて店内を開放して接客する。夜間などの無人営業時には、折畳式仕切り部材を仕切り位置に伸ばして来客者に洗濯物を洗濯物収納袋に入れさせて洗濯物投入口から投入させて接客する。
【０００６】
（請求項２について）
洗濯物投入口は、スプリングにより閉鎖方向に付勢された蓋板を有する。
（請求項３について）
支持部材は、洗濯物収納袋を引っ掛ける引っ掛け棒を備えている。
（請求項４について）
引っ掛け棒の上方には、来客者が所定事項を記入して洗濯物収納袋に表示するための用紙を備える筆記台が設けられている。
【０００７】
（請求項５について）
折畳式仕切り部材を仕切り位置に伸ばす際、洗濯物投入口の後側には、洗濯物投入口から投入される洗濯物収納袋を床に滑り落とすための傾斜台が着脱可能に設置される。
（請求項６について）
断面略逆Ｕ字状の仕分け部材が床に設置されており、傾斜台から滑り落ちた洗濯物収納袋を左右あるいは前後に仕分けする。
【０００８】
（請求項７について）
傾斜台は、洗濯物収納袋を滑り落とすことができる使用位置と下方に反転した休止位置との間で回動可能に設けられている。
（請求項８について）
傾斜台は、略水平な非使用位置と洗濯物収納袋を滑り落とすために傾斜する使用位置との間で回動可能に設けられたカウンターである。
【０００９】
（請求項９について）
店内を前後に仕切る仕切り位置と店内を開放する非仕切り位置との間でスライド可能に設けられて洗濯物投入口を有する複数枚のブラインド板部を伸縮自在に折り重ねてなる折畳式仕切り部材と、店内の入口付近に設けられて多数の洗濯物収納袋を着脱可能に取付けた支持部材と、この支持部材の上方に設けられて来客者が所定事項を記入して洗濯物収納袋に表示するための用紙を備える筆記台とを有するランドリー店舗の営業方法であって、  昼間などの有人営業時に折畳式仕切り部材を非仕切り位置に縮めて店内を開放して行う有人接客部門と、夜間などの無人営業時に折畳式仕切り部材を仕切り位置に伸ばして来客者に洗濯物を洗濯物収納袋に入れさせて洗濯物投入口から投入させて行う無人接客部門とを備える。
【発明の効果】
【００１０】
（請求項１について）
昼間などの有人営業時には、折畳式仕切り部材を非仕切り位置に縮めて接客でき、夜間などの無人営業時には、折畳式仕切り部材を仕切り位置に伸ばして接客し、来客者に洗濯物を入れさせた洗濯物収納袋を洗濯物投入口から投入させる。このため、昼夜の時刻を選ばずいつでも個人の洗濯物を持って行って預けることができ、とりわけ勤務などで昼間の時間帯に拘束される来客者にとって好都合である。
【００１１】
（請求項２について）
洗濯物投入口の蓋板は、スプリングにより閉鎖方向に付勢されているので、蓋板が不用意に開放方向に変位しない利点がある。
（請求項３について）
洗濯物収納袋を引っ掛ける引っ掛け棒を支持部材に備えているので、簡素な構成で多数の洗濯物収納袋を収容することができる。
（請求項４について）
筆記台で来客者が用紙に所定事項を記入することができるので、仕上がった洗濯物の連絡を簡易な手段で受けられる。
【００１２】
（請求項５について）
洗濯物収納袋を洗濯物投入口から投入する際、洗濯物収納袋が傾斜台に沿って滑り落ちるので、洗濯物収納袋の投入操作が円滑になる。傾斜台は着脱自在のため、無人営業時に折畳式仕切り部材を仕切り位置に伸ばした時のみ使用し、有人営業時には外しておくことにより余分なスペースを占有することがない。
【００１３】
（請求項６について）
断面略逆Ｕ字状の仕分け部材により、傾斜台から滑り落ちた洗濯物収納袋を左右あるいは前後に分散して仕分けすることができるので、洗濯物収納袋の効率的な保管が可能になる。
【００１４】
（請求項７について）
傾斜台は、使用位置と下方に反転した休止位置との間で回動可能になっている。このため、傾斜台を簡単な回動操作で素早く使用位置に設置することができる。しかも、非使用時の休止位置では傾斜台は下方へ回動されているので、傾斜台が接客の邪魔になることがない。
（請求項８について）
傾斜台はカウンターであるので、別体の傾斜台を設ける必要がなく、かつ使用時にはカウンターを傾斜する使用位置に回動させるだけの簡単な操作で済む。
【００１５】
（請求項９について）
昼間などの有人営業時には、有人接客部門として折畳式仕切り部材を非仕切り位置に縮めて接客でき、夜間などの無人営業時には、無人接客部門として折畳式仕切り部材を仕切り位置に伸ばして接客し、来客者に洗濯物を入れさせた洗濯物収納袋を洗濯物投入口から投入させる。このため、請求項１と同様な効果に加えて、業務の改善が図れ、来客者が多くなり集客率の向上によりランドリー店舗の増収・増益に貢献することができる。
【発明を実施するための最良の形態】
【００１６】
昼夜の時刻を選ばずいつでも個人の洗濯物を持って行って預けることができ、とりわけ昼間の時間帯に拘束される来客者には便利となり、ランドリー店舗にとっては業務の改善により集客率が向上して増収・増益に役立つ。
【実施例１】
【００１７】
図１ないし図６は本発明の実施例１を示す。図１および図２に示すようにランドリー店舗１には、縦長でガラス製のブラインド板部２を複数枚（例えば５枚づつ）伸縮自在に折り重ねてなる折畳式仕切り部材３を左右の壁部４、５に設けている。天井Ｃおよび床Ｆには、折畳式仕切り部材３の上端部および下端部をスライド可能に嵌め込むレール部Ｒ１、Ｒ２を設置している。折畳式仕切り部材３の内側には、左右に配された接客用の細長なカウンター６が備えられている。カウンター６の下方に設けられた目隠し板７には、昼間などの有人営業時に来客者に後述する洗濯物収納袋８を投入させる洗濯物投入口９が開口形成されている。洗濯物投入口９は、図３に示すように例えばアルミニウム製の押戸９ａを有し、洗濯物収納袋８で押戸９ａが押圧されて洗濯物収納袋８が内方に投入されるようになっている。
【００１８】
折畳式仕切り部材３は、店内を前後に仕切る仕切り位置（図２参照）と店内を開放する非仕切り位置（図１参照）との間でスライド可能に設けられている。昼間などの有人営業時には、折畳式仕切り部材３を非仕切り位置に縮めて店内を開放する。夜間などの無人営業時には、折畳式仕切り部材３を仕切り位置に伸ばして来客者に洗濯物（図示せず）を洗濯物収納袋８に入れさせて後述する洗濯物投入口１０から投入させる。洗濯物投入口１０は、折畳式仕切り部材３の所定のブラインド板部２に形成されており、洗濯物投入口１０を開閉し、スプリング（図示せず）により閉鎖方向に付勢された蓋板１１が設けられている。
【００１９】
折畳式仕切り部材３を伸ばした仕切り位置では、図３に示すように洗濯物投入口１０に対応する位置に傾斜台１２をカウンター６上に着脱可能に設置する。洗濯物投入口１０の外周縁部には、後端開口部に自由開閉式のガイドフラップ１３を有するガイドカバー１４を嵌込みにより着脱可能に装着する。床Ｆには、傾斜台１２から滑り落ちた洗濯物収納袋８を左右あるいは前後に分散させて仕分けするために断面略逆Ｕ字状の仕分け部材２１を設置している。なお、仕分け部材２１は、左右および前後の一方ばかりではなく、左右および前後の双方に分散させるように構成してもよい。
【００２０】
店内の入口付近には、多数の洗濯物収納袋８を着脱可能に取付けた支持部材１５が備えられている。支持部材１５は、洗濯物収納袋８を引っ掛ける引っ掛け棒１６を据付け台１６Ａ上に設けている。引っ掛け棒１６は、図４に示すようにピン１７により実線で示す使用位置と二点鎖線で示す非使用位置との間で回動可能に設けられたアーム部１８を有する。アーム部１８は、ばね部材（図示せず）により使用位置に回動付勢されている。引っ掛け棒１６の上方には、図５に示す用紙１９を備える筆記台２０が設けられ、ランドリー店舗１への来客者が用紙１９に所定事項を記入できるようになっている。
【００２１】
上記構成において、昼間などの有人営業時には、図１に示すように折畳式仕切り部材３を非仕切り位置に縮めて店内を開放して接客する（有人接客部門）。洗濯物を持参した来客者は、図６に示す階段２２および自動ドア２３を通って店内に入り、後述するように引っ掛け棒１６から抜き取った洗濯物収納袋８に、記入後の用紙１９を表示し、洗濯物収納袋８に洗濯物を入れる。用紙１９を表示して洗濯物を入れた洗濯物収納袋８は、押戸９ａを押し開いて洗濯物投入口９から内部に放り込まれる。
【００２２】
また、夜間などの無人営業時には、折畳式仕切り部材３を左右の壁部４、５からレール部Ｒ１、Ｒ２に沿って仕切り位置に伸ばし、図２に示すように互いに当接するブラインド板部２同士をロックする（無人接客部門）。店内に入った来客者は、引っ掛け棒１６のアーム部１８をばね部材の付勢力に抗して使用位置に回動し、手提げ紐８ａを介して洗濯物収納袋８を引っ掛け棒１６から抜き取る。筆記台２０の用紙１９に所定の事項を記入し、記入後の用紙１９を洗濯物収納袋８に表示して洗濯物を洗濯物収納袋８に入れる。洗濯物を入れた洗濯物収納袋８で蓋板１１を押すと、図３に示すように蓋板１１がスプリングの付勢力に抗して回動して洗濯物投入口１０を開く。このため、洗濯物収納袋８が洗濯物投入口１０から内方に入って傾斜台１２の傾斜部１２ａを滑り落ちて仕分け部材２１に当たり、床Ｆの左右あるいは前後に分散されて保管される。
【００２３】
このように、昼間などの有人営業時には、折畳式仕切り部材３を非仕切り位置に縮め、夜間などの無人営業時には、折畳式仕切り部材３を仕切り位置に伸ばし、来客者に洗濯物を入れさせた洗濯物収納袋８を洗濯物投入口１０から内方に入れさせる。このため、昼夜の時刻を選ばずいつでも個人の洗濯物を持って行って預けることができ、とりわけ勤務などの関係で昼間の時間帯に拘束される来客者にとって至便となる。
【００２４】
また、ランドリー店舗１の営業方法としては、有人接客部門に加えて無人接客部門でも営業を継続できて昼夜の時刻を選ばずいつでも個人の洗濯物を持って行って預けられるため、業務の改善が図れ、来客者が多くなり集客率の向上によりランドリー店舗１の増収・増益に貢献することができる。
【実施例２】
【００２５】
図７は本発明の実施例２を示す。実施例２が実施例１と異なるところは、傾斜台１２をピンＰを中心にして回動可能に設けたことである。傾斜台１２は、回動変位により非使用時にカウンター６から下方に反転した休止位置に置かれる。使用時には、傾斜台１２を休止位置からピンＰを中心に矢印Ｍで示す方向に回動させてカウンター６に設置する（使用位置）。
この場合、ガイドカバー１４を傾斜台１２に固定している。このため、傾斜台１２が休止位置から使用位置に回動することに伴い、ガイドカバー１４も使用位置に回動してブラインド板部２に嵌め込まれる（図７の二点鎖線参照）。
【実施例３】
【００２６】
図８は本発明の実施例３を示す。実施例３が実施例１と異なるところは、カウンター６を傾斜台として用いたことである。カウンター６は、略水平な非使用位置と洗濯物収納袋８を滑り落とすために傾斜する使用位置との間でピンＳにより回動可能に設けられている。このため、カウンター６と目隠し板７との間には、ヒンジ部２７により連結された下リンク２５および上リンク２６とが設けられており、カウンター６が使用位置と非使用位置との間で回動することに伴い、下リンク２５および上リンク２６とがヒンジ部２７を介して伸縮変位する。
【００２７】
（変形例）
図９は仕分け部材２１を示す。この変形例では仕分け部材２１を星状に形成している。仕分け部材２１は、具体的には図９の（イ）に示すように三方向に突起部２１ａを有する星状に形成したり、図９の（ロ）に示すように四方向に突起部２１ａを有する星状に形成することができる。このため、図９の（イ）の仕分け部材２１では、洗濯物収納袋８を三方向に分散して仕分けることができる。また、図９の（ロ）の仕分け部材２１では、洗濯物収納袋８を四方向に分散して仕分けることができる。
【００２８】
なお、上記実施例では折畳式仕切り部材３を左右の壁部４、５に設けたが、ブラインド板部２が左の壁部４から右の壁部５まで連続する一体構造物であってもよい。ブラインド板部２はガラス製に限らず強化ガラス、木製、金属製、竹細工あるいは網細工であってもよい。
無人営業とは、夜間に限らず昼間であっても、休日・休暇などでランドリー店舗１の従業者が不在の場合を含む意味である。また、洗濯物投入口１０の形成場所および個数は所望に応じて変更することができる。その他、本発明の具体的な実施にあたっては、本発明の要旨を逸脱しない範囲で種々変更することができる。
【図面の簡単な説明】
【００２９】
【図１】昼間などの有人営業時におけるランドリー店舗の正面図である（実施例１）。
【図２】夜間などの無人営業時におけるランドリー店舗の正面図である（実施例１）。
【図３】折畳式仕切り部材およびその周辺部の縦断面図である（実施例１）。
【図４】支持部材およびその周辺部の側面図である（実施例１）。
【図５】所定事項を記入するための用紙の正面図である（実施例１）。
【図６】ランドリー店舗の間取り図である（実施例１）。
【図７】折畳式仕切り部材およびその周辺部の縦断面図である（実施例２）。
【図８】折畳式仕切り部材およびその周辺部の部分縦断面図である（実施例３）。
【図９】仕分け部材を示す斜視図である（変形例）。
【符号の説明】
【００３０】
１  ランドリー店舗
２  ブラインド板部
３  折畳式仕切り部材
６  カウンター
８  洗濯物収納袋
１０  洗濯物投入口
１１  蓋板
１２  傾斜台
１５  支持部材
１６  引っ掛け棒
１９  用紙
２０  筆記台
２１  仕分け部材
Ｆ  床
【図１】
2005066145.tif 000003
【図２】
2005066145.tif 000004
【図３】
2005066145.tif 000005
【図４】
2005066145.tif 000006
【図５】
2005066145.tif 000007
【図６】
2005066145.tif 000008
【図７】
2005066145.tif 000009
【図８】
2005066145.tif 000010
【図９】
2005066145.tif 000011